(57)【特許請求の範囲】
【請求項１】
スリップ制御される液圧ブレーキ装置の液圧ユニットの電磁弁（１２）を制御するための取付け形制御装置（１５）であって、電子ユニット、特に出力段（３３）を受容するためのケーシング（１６）が設けられており、電子回路を支持していて、しかも前記電磁弁（１２）の接続部材（２７）と結合されるプリント回路板（２９）が少なくとも１つ設けられており、前記電磁弁（１２）の接続部材（２７）が取付け形制御装置（１５）の前記ケーシング（１６）内へ突入しており、かつ該ケーシング（１６）が前記電磁弁（１２）に対して開放していて、しかも前記電磁弁（１２）上に載置しており、かつ前記電子回路と結合された差込み部材（２４）が少なくとも１つ設けられており、該差込み部材がセンサーまたはこれに類似のものの接続のために外部からアクセス可能であり、かつ前記プリント回路板（２９）が導体シート（３１）を有しており、かつ前記電磁弁の接続部材（２７）および前記差込み部材（２４）が直接前記プリント回路板（２９）の導体シート（３１）と結合されている形式のものにおいて、
前記ケーシング（１６）が少なくとも２つのケーシング部分（２５，１８）から成っており、前記プリント回路板（２９）が複数の剛性の領域（３０，２５；４１，２５）および複数の撓み性の領域（２８，３６；３６ａ）から成っており、前記プリント回路板（２９）の前記少なくとも２つの剛性の領域（３０，２５；４１，２５）が該プリント回路板（２９）の前記１つの撓み性の領域（３６；３６ａ）によって互いに結合されており、前記プリント回路板（２９）の前記１つの剛性の領域（２５）が前記１つのケーシング部分（２５）のケーシング内面によって形成されており、前記プリント回路板（２９）の導体シート（３１）が、該プリント回路板（２９）の前記別の剛性の領域（３０；４１）を越えて突出している前記別の撓み性の領域（２８）において前記電磁弁（１２）の接続部材（２７）と結合されていることを特徴とする、取付け形制御装置。
【請求項２】
前記ケーシング（１６）が、フレーム（１８）とこのフレーム（１８）の一方の開口部を閉鎖するカバー（２５）とから成っており、かつ前記プリント回路板（２９）の一部分が前記カバー（２５）の内面に固定されている、請求項１記載の取付け形制御装置。
【請求項３】
前記ケーシング（１６ａ）の前記フレームが、斜めに延びる交差線（５２）によって分割された２つのケーシングフレーム部分（５０，５１）から成っている、請求項２記載の取付け形制御装置。
【請求項４】
前記プリント回路板（２９）の前記別の剛性の領域が熱伝導性の支持体（３０）を有しており、前記導体シート（３１）が部分的に前記熱伝導性の支持体（３０）上に配置されている、請求項１から３までのいずれか１項記載の取付け形制御装置。
【請求項５】
前記差込み部材（２４）が前記導体シート（３１）の端面に配置されている、請求項１から４までのいずれか１項記載の取付け形制御装置。
【請求項６】
回路の個別部材（３３）がＳＭＤ構成部材として前記導体シート（３１）上に配置されている、請求項１から５までのいずれか１項記載の取付け形制御装置。
【請求項７】
前記導体シート（３１）が組付け状態で少なくとも２つの互いに上下に位置した平面内に前記剛性の領域（２５，３０）を有している、請求項１から６までのいずれか１項記載の取付け形制御装置。
【請求項８】
前記導体シート（３１）が多層技術で実施されている、請求項１から７までのいずれか１項記載の取付け形制御装置。
【請求項９】
前記導体シート（３１）の自由区分（３６）が、前記カバー（２５）を前記別の剛性の領域（３０）の平面内へ旋回開放可能であるように構成されている、請求項１から８までのいずれか１項記載の取付け形制御装置。
【発明の詳細な説明】
従来技術
本発明は主請求項の種類による取付け形制御装置か出発する。このような取付け形制御装置は例えば出願後刊行されたＤＥ−ＰＳ４２２５３５８．６から公知である。該明細書にはフード様の一体のケーシング内にプリント回路板が配置され、プリント回路板上には導体シートが固定されている。プリント回路板は複数の剛性領域に分割されいるが、これらの領域は導体シートのために撓み性の区分によって結合されている。しかし消費部材の接続部およびまた差込み部材の接続部は剛性のプリント回路板の領域内でプリント回路板と接触接続せしめられている。これによってプリント回路板の各接続部は正確に互いに適合しなければならない。さらにケーシングが一体に構成されており、このために継続の、ないしは最終的な製作工程が困難となる。
発明の利点
それとは異なり、主請求項の特徴を備えた、本発明による取付け形制御装置は、最終製作工程のために、ないしは電気的な構成部材の調整のために開放容易であるという利点を有している。これによって制御装置のろう接箇所は容易にアクセス可能である。導体シートが直接カバーの内面に配置されているので、良好な冷却作用が得られ、この作用は特にこの領域において付加的な冷却部材を不要にする。電磁弁とプリント回路板との接触接続の領域内で弾性シートに基づく運動の自由性が得られる。これによって接触接続は断絶されず、またはさもないとしても破損されない。弾性シートの使用によりプリント回路板の剛性領域間でループの領域内に屈曲の危険は生じない。取付け形制御装置に比較的大きな電気ないしは電子構成部材を取付けるためには、取付け形制御装置のケーシングは該ケーシングのフレームを、斜めに延びる交差線に沿って分割された２つのケーシングフレーム部分によって形成されていると有利である。取付け形制御装置のケーシングはフレームに傾斜した区分を有していると有利であり、それというのは該傾斜区分に、付加的な所要スペースを必要とすることなしに、熱の排出のためのリブを形成することができる。電気的な構成部材の排熱は容易にされる。プリント回路板の両剛性部分間の弾性の領域の寸法は短縮される。撓み性のシートは直接差込み接触接続部材に結合されるので、プリント回路板はこの領域内においても出力部材を実装することができる。取付け形制御装置と液圧ユニットとの間のシールは簡単であり、かつ良好である。取付け形制御装置のケーシングが多部分から成る場合には各ケーシング部分は液圧ユニットのケーシングの外形に相応するように適合せしめられており、これによって付加的な、特に大容積の出力部材を付加的に取付け形制御装置内に組込むことができる。
本発明の他の利点および有利な構成が従属請求項および説明から得られる。
図面
本発明の実施例が以下の説明と図面で示される。図１から図３はそれぞれ取付け形制御装置の略示断面図を示し、液圧ユニットはそれぞれ略示されているにすぎない。
実施例の説明
図１には液圧アンチロックブレーキ装置（スリップ制御される液圧ブレーキ装置）の液圧ユニットのケーシングブロック（一部分だけ図示）が符号１０で示されている。ケーシングブロックには図示されないモータがフランジ結合可能であり、モータはケーシングブロック１０内に配置された、図示されない液圧ポンプおよびやはりケーシングブロック内に配置された電磁弁１２と公知の形式で協働する。モータ側とは反対側のケーシングブロック１０の端面１３には取付け形制御装置１５の開放端面が当接しており、取付け形制御装置のケーシング６は、複数のケーシング部分から成っていて、図示の実施例では取付け形制御装置１５の内部空間を画成するフレーム１８と該フレームの上方の開口部を閉鎖するカバー２５とによって形成されている。
液圧ユニットのケーシングブロック１０内には複数の電磁弁１２が配置されており、そのうち２つを図１で見ることができる。電磁弁はその接続−ないしは駆動側の端部でもって取付け制御装置１５の内部空間１７（図２、参照）内にまで突出している。
ケーシング１６はフレーム１８内に、受容シャフト２２を備えた側方の差込み開口２１を有している。差込み開口２１内へは差込み部材２４を備えた雄形コネクタ２３がシール下に挿入されている。雄形コネクタ２３の差込み部材２４の１端部が受容シャフト２２内へ突入している。さらにケーシング１６は電磁弁１２とは反対の側でカバー２５によって閉鎖されている。
電磁弁１２の接続ピン２７が例えばろう付けによってプリント回路板２９の撓み性の領域２８へ結合されている。プリント回路板２９は熱伝導性のプレート３０を有し、このプレート上に（撓み性の）導体シート３１が設けられており、導体シートはその自由表面上に導体路（図示せず）を支持している。これらのプリント回路板は電気回路の構成部分であり、図にはいくつかの個別部材３３だけが示されている。これら個別部材３３は有利にはＳＭＤ−構成部材（surface-mounted-device）として構成されている。電子回路は公知の形式で液圧アンチロックブレーキ装置の電磁弁１２（消費部材）の制御に使用される。
プリント回路板２９は電磁弁１２の接続ピン２７の領域内では導体シート３１だけから成り、接続ピン２７はきわめて容易に取付けることができる。特に剛性のプリント回路板との接触接続時において生じることのある製作誤差の相違が補償される。プリント回路板２９はプレート３０の領域内にろう接用の開口３５を有しており、この開口を差込み部材２４の他端が貫通している。さらに導体シート３１はカバー２５の内面上にも設けられている。そのためにはプレート３０とカバー２５との間でプリント回路板２９に第２の撓み性の、ループ状の領域３６が形成されており、この領域内に導体シート３１が支持プレートなしで存在する。この撓み性の領域３６は、カバー２５を旋回開放することができる（aufgeklappt werden kann）長さに調整される。その結果カバー２５の内面も構成部材ないしは出力部材３３を装着することが可能であり、これによってプリント回路板２９の実装密度が高められる。さらにカバーの材料を適切に選択することによって出力部材３３の熱も簡単な形式で付加的な冷却部材を使用せずに排出することができる。このことはプレート３０の材料についても該当する。
カバー２５が旋回開放されると、プリント回路板２９のすべての領域が１つの側から、すなわち上方から垂直にアクセス可能であり、さらにこれらは１平面内に位置しているので、すべての工程が１作業過程で実施され、中でも１過程で、例えば公知のリフローろう接でろう接することができる。電気的な短絡を回避するために、ループ状の領域内で導体シート３１が自身に接触してはならないことは当然である。
電磁弁１２と、プリント回路板２９の撓み性の領域２８内の導体シート３１との直接的な結合によって例えば差込み結合部材が不要となり、かつ厳密な製作誤差を維持する必要がないので、この取付け形制御装置の製作が簡単になる。同時に導体シート３１は外部へ導出される差込み部材２４のために接続部としても働く。この差込み部材２４によってプリント回路板２９の電子回路にセンサー（例えば回転数ピックアップ）の入力信号を与えることができる。プリント回路板２９上の電子回路と差込み部材２４との間には別個の結合線路ないしは接続線路は不要である。
普通取付け形制御装置１５および消費部材１０は異なる２カ所ないしは異なる２製造者によって製作される。このため両構成部材の一方、例えば取付け形制御装置１５の搬送が必要である。そのためには開口１３、すなわちケーシング１６のモータに面した開口１３は搬送の安全と塵密性を得るために付加的な蓋によって閉鎖することができる。
図２による実施例ではケーシング１６ａは１カ所に傾斜した区分４０を持つ壁を有している。この区分４０上にはプリント回路板２９ａの剛性の領域４１が設けられている。プリント回路板２９のこの領域４１は熱伝導性の支持体４２を有し、支持体の上に導体シート３１が設けられている（例えば接着によって）。プリント回路板２９の傾斜した区分４０はできる限り十分に開口まで、したがってカバー２５まで延びているべきであり、その結果プリント回路板２９ａのループ状の区分３６ａはできる限り短く構成することができる。さらに傾斜区分４０はまたできる限り別の開口１３（この開口から電磁弁１２が取付け制御装置１５の内部空間１７内へ突入している）まで達しているべきである。これによってモータ１０上へ取付け形制御装置１５を載置するのに必要な領域は最小にされ、かつモータ１０の接続プレート４５のねじ結合はアクセス容易であり、またねじ結合は取付け形制御装置のケーシング１６ａの下方にスペース節約的に配置することができる。簡単かつ確実な熱の排出のためには取付け形制御装置１５の傾斜区分４０の領域内のケーシング１６ａにリブ４６が形成されている。区分４０の傾斜によってこれらのリブ４６は付加的な所要スペースを必要とせずにケーシング１６ａの壁とモータ１０の接続プレート４５との間に形成することができる。さらに図１とは異なり、プリント回路板２９ａのプレート３０ａは直接雄形コネクタ２３ａに固定されている。これは、雄形コネクタ２３ａの所に出力部材３３ａを配置することができるのでコンパクトな構造形式を可能にする。
さらに、取付け形制御装置１５のケーシング１６ａとモータ１０ａのケーシングとの間に圧密の結合が存在することが重要である。そのためには圧力プレート４５は環状の爪４６を有し、このこの爪にシールリング４８のためのみぞ４７が形成されている。さらに圧力プレート４５はモータ１０ａないしは消費部材のケーシング内へ突入する縁４８を有していて、この縁が同様にシールリング４９を用いてシールされている。これによって取付け制御装置のケーシング１６ａに対してもまたモータ１０ａのケーシングに対しても圧力プレート４５を用いて圧密な結合が形成される。
図３による構成は、比較的大きな電気ないしは電子構成部材、例えばリレー５３を取付け形制御装置１５ｂのケーシング１６ｂ内へ取付けるために使用されるが、ケーシング１６ｂはやはりコンパクトに構成されなけばならない。そのためにはケーシング１６ｂのフレームは、図１および図２による構成とは異なり、斜めに延びる交差線５２に沿って分割された２つのケーシングフレーム部分によって形成されている。この場合に上方のケーシングフレーム部分５１は上方の開口部をカバーによって閉鎖されるようになっていて、該上方のケーシングフレーム部分５１の内部空間の深い箇所に比較的大きなリレー５３および差込み部材２４ａを受容している。これに対して、下方のケーシングフレーム部分は、リレー５３に対応して浅い箇所に底部部分５０を備えていて、かつ該下方のケーシングフレーム部分の内部空間の深い箇所に液圧ユニットの電磁弁１２のための開口を有している。したがって電気的な部材３３ｂおよびリレー５３の接続部および電磁弁１２の接続部はこの場合も鉛直方向にアクセス可能であり、かつ組立可能である。これは、リレー５３が差込み部材２４ａと結合され、引続き底部部分５０がカバーとしてフレーム部分５１へ取付けられるので、可能となる。さらに組立および製作の際に図１および図２による上記の実施例の場合と同じ過程を行うことができる。
この取付け形制御装置の使用は実施例に記載されたアンチロック装置（液圧アンチロックブレーキ装置）ないしはスリップ制御される液圧ブレーキ装置に限定されない。これは特にトラクションコントロール装置、アンチロックとトラクションコントロールが組合された装置、または燃料噴射装置および他の電子ユニット（制御装置および消費部材）の組合せに使用することができる。
【図１】
0003691057.tif 000002
【図２】
0003691057.tif 000003
【図３】
0003691057.tif 000004